(57)【特許請求の範囲】
【請求項１】
天井等の室内外を隔てる仕切構造に開口させた取付穴に組込まれ、室内側に開口する吸込口から室内の空気を吸込み、同室内に開口する吹出口から吸込んだ室内の空気を吹出す循環用送風機と、この循環用送風機の吹出し気流を昇温する電気ヒーターとを備えた温風装置であって、その電気ヒーターを螺旋コイル状に構成するとともに、二本を対にしてその螺旋コイル状の中心線が吹出し方向に沿うように、室内への吹出口に臨んで並んで設けた温風装置。
【請求項２】
請求項１に記載の温風装置であって、二本を対にして電気ヒーターを固定金具に装着し、加熱ユニットとして構成した温風装置。
【請求項３】
請求項２に記載の温風装置であって、固定金具に電気ヒーターを囲む熱障壁を設け、この熱障壁と温風装置の本体外殻との間に断熱空気層を形成した温風装置。
【請求項４】
請求項１〜請求項３までのいずれかに記載の温風装置であって、電気ヒーターの少なくとも一本の背後側に反射板を設けた温風装置。
【請求項５】
請求項４に記載の温風装置であって、反射板を設けた少なくとも一本の電気ヒーターを、循環用送風機の風量を下げて輻射暖房用として機能するようにした温風装置。
【請求項６】
請求項４又は請求項５のいずれかに記載の温風装置であって、反射板を仕切構造の取付穴に対して角度を持たせた曲面構造とし、目的とする方向へ輻射熱を放射するようにした温風装置。
【請求項７】
請求項３に記載の温風装置であって、加熱ユニットを本体外殻へネジ付けするようにするとともに、その本体外殻の前記加熱ユニットの電気接続用の引出口をスリット状にし、この引出口には耐熱性のあるパッキン材を装着した温風装置。
【請求項８】
請求項１〜請求項７までのいずれかに記載の温風装置であって、併設する排気用換気装置に異なる電圧の電源を供給する電源供給制御手段を設けた温風装置。
【発明の詳細な説明】
【０００１】
【発明の属する技術分野】
本発明は、主として浴室や洗面所などの室内を暖房する温風装置に関するものである。
【０００２】
【従来の技術】
ユニットバスの普及とともに浴室や洗面所等の多機能化が進んでいる。そうした中で、例えば特開昭６３―７７４９８号公報、特開平４―２４０４９５号公報、実開平６―３８８９５号公報に示されているように、浴室の浴室としての快適性の向上を図るとともに、浴室を乾燥雰囲気にして衣類等の乾燥室としても利用できるようにした装置も開発されている。
【０００３】
こうした装置の暖房装置は、室内外を仕切る天井等の仕切構造に設けられた取付穴に装着され、基本的には室内の空気を循環させる循環送風機と電気ヒーターとにより構成された温風装置であり、生成した温風を攪拌しながら循環させ効率よく室内を暖房雰囲気にすることができる。浴室については、入浴時の濡れた体に循環送風機による気流が当ると体温が奪われ、冷風感を醸すことになるため、入浴時には冷風感のない輻射熱を放射するように輻射用ヒーターを備えたものもある。
【０００４】
【発明が解決しようとする課題】
上記のような従来の温風装置においては、その電気ヒーターの駆動電源は１００Ｖであり、住宅内電源ブレーカーの容量等の制約により、せいぜい合計で１４００Ｗ程度の発熱量のものである。このような発熱量の電気ヒーターでは、例えば、予め入浴前に循環送風機と電気ヒーターの運転による温風暖房を行った場合、大きな浴室、タイル張り等の熱容量の大きな浴室、厳冬期で冷え切った浴室、断熱性の悪い浴室などでは、入浴に適した室温まで上昇しなかったり、極めて時間がかかるといった問題点があった。
【０００５】
また、電気ヒーターの表面積が小さいため、ワット密度が高く、ヒーター表面温度が高くなるため、電気ヒーターの仕事のうち、ヒーター表面から放射される遠赤外線の放射分への寄与率が高く、循環送風機による気流に伝熱される対流分が少なくなっていた。
【０００６】
本発明は上記した従来の問題点を解消するためになされたもので、その課題とするところは、暖房の立上がりの迅速な温風装置を得ることであり、大きな浴室、タイル張り等の熱容量の大きな浴室、厳冬期で冷え切った浴室、断熱性の悪い浴室などの暖房に対応できる温風装置を得ることであり、循環送風機の気流に対する伝熱効率の高い温風装置を得ることであり、その温風装置の機能の拡充や組付け性の向上を図ることである。
【０００７】
【課題を解決するための手段】
前記課題を達成するために請求項１の発明は、天井等の室内外を隔てる仕切構造に開口させた取付穴に組込まれ、室内側に開口する吸込口から室内の空気を吸込み、室内に開口する吹出口から吸込んだ室内の空気を吹出す循環用送風機と、循環用送風機の吹出し気流を昇温する電気ヒーターとを備えた温風装置について、その電気ヒーターを螺旋コイル状に構成するとともに、二本を対にしてその螺旋コイル状の中心線が吹出し方向に沿うように、室内への吹出口に臨んで並んで設ける手段を採用する。
【０００８】
前記課題を達成するために請求項２の発明は、請求項１に係る前記手段における二本を対にして電気ヒーターを固定金具に装着し、加熱ユニットとして構成する手段を採用する。
【０００９】
前記課題を達成するために請求項３の発明は、請求項２に係る前記手段における固定金具に、電気ヒーターを囲む熱障壁を設け、熱障壁と温風装置の本体外殻との間に断熱空気層を形成する手段を採用する。
【００１０】
前記課題を達成するために請求項４の発明は、請求項１〜請求項３までのいずれかに係る前記手段における電気ヒーターの少なくとも一本の背後側に反射板を設ける手段を採用する。
【００１１】
前記課題を達成するために請求項５の発明は、請求項４に係る前記手段における反射板を設けた少なくとも一本の電気ヒーターを、循環用送風機の風量を下げて輻射暖房用として機能するようにする手段を採用する。
【００１２】
前記課題を達成するために請求項６の発明は、請求項４又は請求項５のいずれかに係る前記手段における反射板を、仕切構造の取付穴に対して角度を持たせた曲面構造とし、目的とする方向へ輻射熱を放射するようにする手段を採用する。
【００１５】
前記課題を達成するために請求項７の発明は、請求項３に係る前記手段における加熱ユニットを、本体外殻へネジ付けするようにするとともに、その本体外殻の加熱ユニットの電気接続用の引出口をスリット状にし、引出口には耐熱性のあるパッキン材を装着する手段を採用する。
【００１６】
前記課題を達成するために請求項８の発明は、請求項１〜請求項７までのいずれかに係る前記手段に対し、併設する排気用換気装置に異なる電圧の電源を供給する電源供給制御手段を設ける手段を採用する。
【００１８】
【発明の実施の形態】
実施の形態１．
図１〜図６に示すこの実施の形態１の温風装置は、ユニットバス１の天井等の仕切構造２に埋設され、浴室３の空気を昇温しながら送風して浴室３内に循環気流を形成し浴室３内を暖房するものである。温風装置は、図１の構成図で示すように浴室３内側にそれぞれ開口する吸込口４と吹出口５とを下部に有する本体外殻６の内部に循環用送風機７が組込まれ、循環用送風機７により浴室３内の空気を吸込口４から吸込んで吹出口５から再び浴室３内へ吹出すように構成され、吹出し空気を昇温する発熱量の大きな電気ヒーター８が循環用送風機７の吹出し側の風路中に設けられている。
【００１９】
電気ヒーター８は、図２に示すように螺旋コイル状に構成され、二本を対にして固定金具９にその螺旋コイル状の中心線が循環用送風機７の吹出し方向に沿うように並んで、浴室３内への吹出口５に臨んで配設され、固定金具９とともに加熱ユニット１０として構成されている。各電気ヒーター８は、固定金具９に開けられた取付孔１１（図５参照）に両端から延び出す電源リード線１２が通され、両端間に差し渡された当て板１３を介して両端部において固定部品１４で本体外殻６の天面に狭持されて取付けられている（図４及び図６参照）。固定金具９の取付孔１１の一方は、図５に示すように電源リード線１２の一方の端に設けられたコネクタ１５を挿通できるように鍵穴状に構成されている。
【００２０】
固定金具９には、図３に示すように循環用送風機７の吹出口を除き電気ヒーター８を囲む熱障壁１６が設けられ、固定金具９及び熱障壁１６と本体外殻６との間は断熱空気層１７が形成されている（図６参照）。断熱空気層１７は、本体外殻６の天面に設けられた内方へ突出する突出部１８に固定金具９が当るように本体外殻６の浴室３側からの天面に対するネジ付けによって形成されている。本体外殻６の天面の突出部１８は、二本の電気ヒーター８の各両端間にわたって二列形成され、各電源リード線１２を挿通するための引出口としてスリット１９が設けられている。このスリット１９により、加熱ユニット１０の本体外殻６への組付けは、隠れる電源リード線１２及びコネクタ１５の挿通が容易になり組付性が向上する。
【００２１】
循環用送風機７の吹出口に最寄りの電気ヒーター８には、その背後側に反射板２０が設けられている。この反射板２０は、仕切構造２の取付穴２１に対して角度を持たせた曲面構造となっていて、浴槽２２の直上の天井に設置された場合に、浴槽２２の略半分から洗場をカバーする範囲に輻射熱を放射する（図１参照）。
【００２２】
本体外殻６の突出部１８のスリット１９には、空気漏れを防止する耐熱性のあるパッキン２３が外側から装着されている。スリット１９から本体外殻６の天面の外に引出された電気ヒーター８の電源リード線１２は、本体外殻６の天面上に構成された回路ボックス２４内の制御回路２５に接続されている。制御回路２５には運転指示を行うリモコン２６が接続され、リモコン２６の操作で運転指示が行われる。
【００２３】
この温風装置においてリモコン２６により入浴前暖房が指示されると、制御回路２５は、循環用送風機７を運転させ、二本の電気ヒーター８に給電する。発熱量の大きな二本の電気ヒーター８の熱は、循環用送風機７の吹出し気流を昇温し、浴室３内に吹出口５から吹出され、循環されて効率良く、迅速に浴室３内を暖房雰囲気にする。浴室３内が暖房雰囲気になり、入浴に当り入浴中暖房の指示をリモコン２６で指示すると、制御回路２５により二本の電気ヒーター８のうちの反射板２０のある片方のみの通電に切換わり、同時に循環用送風機７の風量が低減される。これにより、通電されている電気ヒーター８の表面温度は高まり、電気ヒーター８から遠赤外線の輻射熱が増大する。この輻射熱は、反射板２０により洗場から浴槽２２の略半分にわたって放射され、この範囲を輻射熱により暖房する。循環用送風機７の風量は抑えられているので、濡れた身体でも冷風感のない快適な暖房が実現する。勿論、入浴前暖房を指示せず、入浴時に入浴中暖房を直接指示することもできる。このようにこのユニットバス１によれば、暖房の立上がりが速く、しかも、濡れた身体でも冷風感のない暖房が実現する浴室３が得られる。
【００２４】
発熱量の大きい電気ヒーター８でも、加熱ユニット１０の固定金具９及び熱障壁１６による断熱と周りの断熱空気層１７により、断熱性が確保されるため本体外殻６の寸法や構造材を変更することなく、小型化が可能である。電気ヒーター８は、螺旋コイル状に構成されているので、巻数及び巻径によりそれを引延ばした直線相当長さを長くでき、表面積を大きくとることができるので、ワット密度の低減による循環用送風機７の気流に対する伝熱効率を上げることができる。従って、大きな浴室、タイル張り等の熱容量の大きな浴室、厳冬期で冷え切った浴室、断熱性の悪い浴室などの暖房に対応することができる。また、二本の電気ヒーター８を使うことにより、それらへの通電制御だけで暖房能力の切換えができる。
【００２５】
なお、反射板２０については、規格の決まったユニットバス１に適用する温風装置として電気ヒーター８を、その螺旋コイル状の中心線を循環用送風機７の吹出し方向に沿って、浴室３内への吹出口５に臨んで配設し、その循環用送風機７の吹出口に臨む電気ヒーター８に対して配備させたが、二本の電気ヒーター８に跨って配備しても構わない。
【００２６】
実施の形態２．
図７と図８に示すこの実施の形態２は、実施の形態１で示した温風装置に、併設する排気用換気装置に電源を供給する電源供給制御手段を設けたものであり、制御回路に係る構成以外は実施の形態１で示したものと同じである。従って、実施の形態１のものと同じ部分については同一の符号を用い、それらについての説明は省略する。
【００２７】
本実施の形態の温風装置は、２００Ｖの電源２７で駆動するように構成されている。ユニットバス１の浴室３あるいは洗面所などを乾燥室として機能させるには、温風装置とともに排気用換気装置２８を併設する必要がある。排気用換気装置２８は、その多くが１００Ｖの電源２９で駆動する。併設する排気用換気装置２８には１００Ｖの電源線３０が接続される。２００Ｖの電源２７に接続された温風装置の制御回路２５には電源供給制御手段が設けられている。
【００２８】
この電源供給制御手段は、図８に示すように排気用換気装置２８に１００Ｖの電源２９を供給する電源渡り線３１に挿入された常開型のリレースイッチ３２と、１００Ｖの電源部の電圧を検知する電圧検知手段３３で構成されている。温風装置の制御回路２５は、電圧検知手段３３の電圧値を監視していて、１００Ｖの電圧値の場合、リレースイッチ３２を動作させず開成状態にしている。誤配線等で１００Ｖを超える電圧値が電圧検知手段３３で検知された場合にも制御回路２５は、リレースイッチ３２を動作させず、リモコン２６の表示手段３４に誤配線であることを示す表示を行う。
【００２９】
浴室３等を乾燥させる場合、リモコン２６により浴室乾燥を指示する。これにより、制御回路２５は、循環用送風機７を運転させ、二本の電気ヒーター８を動作させるとともにリレースイッチ３２を閉成させて排気用換気装置２８を運転させる。これにより、浴室３内は温風の循環による水分の蒸発と、排気用換気装置２８による水蒸気の排出により速やかに乾燥雰囲気となり、浴室３を衣類等の乾燥室として使用することができる。排気用換気装置２８のみの運転指示がリモコン２６でなされた場合には、制御回路２５はリレースイッチ３２を閉成して排気用換気装置２８のみを運転させる。このような電源供給制御手段を設けることによって、制御回路２５で１００Ｖ電源を生成する必要がなく、制御回路２５の構成を簡素にでき、誤配線等による装置の破損も防止することができる。これ以外の機能は実施の形態１のものと同じである。
【００３０】
【発明の効果】
請求項１の発明によれば、暖房の立上がりの迅速な温風装置が得られ、大きな浴室、タイル張り等の熱容量の大きな浴室、厳冬期で冷え切った浴室、断熱性の悪い浴室などの暖房に対応でき、ユニットバスの暖房に適したものとなる。
【００３１】
請求項２の発明によれば、請求項１に係る前記効果とともに組付け性が向上する。
【００３２】
請求項３の発明によれば、請求項２に係る前記効果とともに発熱量の大きな電気ヒーターでも装置が大型化しないで済む。
【００３３】
請求項４の発明によれば、請求項１〜請求項３までのいずれかに係る前記効果とともに輻射暖房機能を付与できる。
【００３４】
請求項５の発明によれば、請求項４に係る前記効果とともに輻射暖房機能が向上する。
【００３５】
請求項６の発明によれば、請求項４又は請求項５のいずれかに係る前記効果とともに、浴室暖房機能が向上する。
【００３８】
請求項７の発明によれば、請求項３に係る前記効果とともに加熱ユニットの組付性が向上し、空気漏れも防止できる。
【００３９】
請求項８の発明によれば、請求項１〜請求項７までのいずれかに係る前記効果とともに、排気用換気装置を併設でき浴室等を乾燥室にすることができる。
【図面の簡単な説明】
【図１】  実施の形態１の温風装置を取付けたユニットバスを示す断面構成図である。
【図２】  実施の形態１の温風装置の構成図である。
【図３】  実施の形態１の温風装置の加熱ユニットを示す斜視図である。
【図４】  実施の形態１の温風装置の加熱ユニットを示す平面図である。
【図５】  実施の形態１の温風装置の固定金具を示す斜視図である。
【図６】  実施の形態１の温風装置の加熱ユニット部分の断面図である。
【図７】  実施の形態２の温風装置を示す構成図である。
【図８】  実施の形態２の温風装置の制御系を示す構成図である。
【符号の説明】
１  ユニットバス、  ２  仕切構造、  ４  吸込口、  ５  吹出口、  ６  本体外殻、  ７  循環用送風機、  ８  電気ヒーター、  ９  固定金具、  １０  加熱ユニット、  １６  熱障壁、  １７  断熱空気層、  １８  突出部、  １９スリット、  ２０  反射板、  ２１  取付穴、  ２３  パッキン、  ２５  制御回路、  ２８  排気用換気装置、  ３２  リレースイッチ、  ３３  電圧検知手段。
【図１】
0003716816.tif 000002
【図２】
0003716816.tif 000003
【図３】
0003716816.tif 000004
【図４】
0003716816.tif 000005
【図５】
0003716816.tif 000006
【図６】
0003716816.tif 000007
【図７】
0003716816.tif 000008
【図８】
0003716816.tif 000009